(57)【要約】【課題】コストを削減できる冷蔵庫を提供する。【解決手段】貯蔵室２を開閉する扉１０の前面に配されるガラス板１１と、扉１０の周面に開口する開口部２０ａを有して樹脂成形品のカバー１４により壁面を形成した収納室２０と、前面にタッチパネルを有するとともに開口部２０ａから収納室２０に挿入して所定の収納位置に配される操作ユニット３０とを備えた冷蔵庫１において、収納室２０の背壁に一端を固定して開口部２０ａから離れる方向に延びるとともに前面２１ａが操作ユニット３０の挿入方向に対して傾斜する弾性部２１を設け、収納室２０に挿入される操作ユニット３０が弾性部２１の前面２１ａに摺動して案内され、ガラス板１１の方向に付勢されるようにした。【選択図】図２
2014066434.tif 000002
【特許請求の範囲】
【請求項１】
貯蔵室を開閉する扉の前面に配されるガラス板と、前記扉の周面に開口する開口部を有して樹脂成形品のカバーにより壁面を形成した収納室と、前面にタッチパネルを有するとともに前記開口部から前記収納室に挿入して所定の収納位置に配される操作ユニットとを備えた冷蔵庫において、前記収納室の背壁に一端を固定して前記開口部から離れる方向に延びるとともに前面が前記操作ユニットの挿入方向に対して傾斜する弾性部を設け、前記収納室に挿入される前記操作ユニットが前記弾性部の前面に摺動して案内され、前記ガラス板の方向に付勢されることを特徴とする冷蔵庫。
【請求項２】
前記弾性部の一端を支持する支持部を前記カバーに突設し、前記支持部の前面が前記弾性部の前面に連続した傾斜面に形成されることを特徴とする請求項１に記載の冷蔵庫。
【請求項３】
前記操作ユニットが前記挿入方向に平行な周面に突設されるピンを有し、前記弾性部が前記ピンに摺動することを特徴とする請求項１または請求項２に記載の冷蔵庫。
【請求項４】
前記収納位置で前記ピンを係止する係止溝を前記弾性部の前面に設けたことを特徴とする請求項３に記載の冷蔵庫。
【請求項５】
前記操作ユニットの前記挿入方向の両端部に前記ピンを設け、前記開口部に近い前記ピンが前記開口部から離れた前記ピンに対して前記ガラス板に平行な面内で前記挿入方向に直交する方向に突出することを特徴とする請求項３または請求項４に記載の冷蔵庫。
【発明の詳細な説明】
【技術分野】
【０００１】
本発明は、前面にガラス板を配した扉にタッチパネルを設けた冷蔵庫に関する。
【背景技術】
【０００２】
従来の冷蔵庫は特許文献１に開示されている。この冷蔵庫は発泡断熱材を充填した扉の前面にガラス板を有し、ガラス板の背面にタッチパネルを有した操作ユニット（基板組品）が配される。操作ユニットは扉の側面に開口部を有する収納室（空間）内に配される。収納室は前面をガラス板で覆われ、背面及び周面を樹脂成形品のカバー（ケースカバー）により形成される。カバーによって発泡断熱材に対して収納室が隔離される。
【０００３】
操作ユニットの上下面にはスライド部材が突設され、収納室の上下面には左右方向に延びてスライド部材が嵌合するガイド溝が設けられる。ガイド溝は収納室の開口部から離れた終端部で前方に向かって傾斜する。
【０００４】
操作ユニットは開口部から収納室内に挿入され、スライド部材がガイド溝に案内されてガラス板と離れた状態で左右方向に移動する。そして、ガイド溝の終端でスライド部材が左右方向に移動しながら前方に移動する。これにより、操作ユニットの前面に配したタッチパネルがガラス板に接触または近接し、ガラス板を介してタッチパネルを操作することができる。また、タッチパネルとガラス板とが摺動しないため、タッチパネルやガラス板の傷を防止することができる。操作ユニットが収納室内に収納されると、開口部が蓋部により閉じられる。
【先行技術文献】
【特許文献】
【０００５】
【特許文献１】特許第４９４８５７８号公報（第３頁−第１２頁、第４図）
【発明の概要】
【発明が解決しようとする課題】
【０００６】
しかしながら、上記従来の冷蔵庫によると、収納室の上下面に形成されるガイド溝が左右に延びるとともに終端部で前後方向に傾斜する。このため、抜き方向が下方向の第１の金型により上方のガイド溝が形成され、抜き方向が上方向の第２の金型により下方のガイド溝が形成される。また、第１、第２の金型の間に収納室の背壁内面を形成する第３の金型が設けられる。従って、カバーの金型が複雑になり、冷蔵庫のコストが増加する問題があった。
【０００７】
本発明は、コストを削減できる冷蔵庫を提供することを目的とする。
【課題を解決するための手段】
【０００８】
上記目的を達成するために本発明は、貯蔵室を開閉する扉の前面に配されるガラス板と、前記扉の周面に開口する開口部を有して樹脂成形品のカバーにより壁面を形成した収納室と、前面にタッチパネルを有するとともに前記開口部から前記収納室に挿入して所定の収納位置に配される操作ユニットとを備えた冷蔵庫において、前記収納室の背壁に一端を固定して前記開口部から離れる方向に延びるとともに前面が前記操作ユニットの挿入方向に対して傾斜する弾性部を設け、前記収納室に挿入される前記操作ユニットが前記弾性部の前面に摺動して案内され、前記ガラス板の方向に付勢されることを特徴としている。
【０００９】
この構成によると、前面にガラス板を配した扉には周面に開口部を開口した収納室が設けられる。操作ユニットは開口部を介して収納室内に挿入され、操作ユニットの背面側が収納室の背壁に設けた弾性部と摺動する。弾性部は一端を収納室の背壁に固定して開口部から離れる方向に延び、前面が傾斜する。操作ユニットは弾性部の前面に摺動案内され、ガラス板を配した前方に付勢される。これにより、操作ユニットの前面のタッチパネルがガラス板等の前面に配される部材に接触する。
【００１０】
また本発明は、上記構成の冷蔵庫において、前記弾性部の一端を支持する支持部を前記カバーに突設し、前記支持部の前面が前記弾性部の前面に連続した傾斜面に形成されることを特徴としている。
【００１１】
また本発明は、上記構成の冷蔵庫において、前記操作ユニットが前記挿入方向に平行な周面に突設されるピンを有し、前記弾性部が前記ピンに摺動することを特徴としている。
【００１２】
また本発明は、上記構成の冷蔵庫において、前記収納位置で前記ピンを係止する係止溝を前記弾性部の前面に設けたことを特徴としている。
【００１３】
また本発明は、上記構成の冷蔵庫において、前記操作ユニットの前記挿入方向の両端部に前記ピンを設け、前記開口部に近い前記ピンが前記開口部から離れた前記ピンに対して前記ガラス板に平行な面内で前記挿入方向に直交する方向に突出することを特徴としている。
【発明の効果】
【００１４】
本発明によると、操作ユニットを摺動案内する弾性部が収納室の背壁に一端を支持して開口部から離れる方向に延び、弾性部の前面が操作ユニットの挿入方向に対して傾斜する。このため、弾性部の付勢によって操作ユニットが前面に配される部材に接触し、ガラス板を介して操作ユニットの前面に配したタッチパネルを確実に操作できる。また、ガラス板と操作ユニットとの摺動を低減してガラス板等の傷を防止することができる。更に、樹脂成形品のカバーの内面を形成する金型の抜き方向を一方向にすることができ、金型を簡素化して冷蔵庫のコストを削減することができる。
【図面の簡単な説明】
【００１５】
【図１】本発明の第１実施形態の冷蔵庫を示す正面図
【図２】本発明の第１実施形態の冷蔵庫の収納室を示す上面断面図
【図３】本発明の第１実施形態の冷蔵庫の操作ユニットを示す正面図
【図４】図２のＨ部詳細図
【図５】本発明の第２実施形態の冷蔵庫の操作ユニットを示す正面図
【発明を実施するための形態】
【００１６】
＜第１実施形態＞
以下に図面を参照して本発明の実施形態を説明する。図１は一実施形態の冷蔵庫を示す正面図である。冷蔵庫１は断熱箱体（不図示）の上方から順に冷蔵室２、冷凍室３、野菜室４が設けられる。冷蔵室２は貯蔵物を冷蔵保存し、冷凍室３は貯蔵物を冷凍保存する。野菜室４は冷蔵室２よりも高温に維持して野菜等の貯蔵物を冷蔵保存する。
【００１７】
冷蔵室２は観音開きの扉９、１０により開閉され、扉９、１０の下端にはそれぞれ手指を掛けて扉９、１０を開く把手部９ａ、１０ａが設けられる。冷凍室３は貯蔵物の収納ケース（不図示）と一体の引出し式の扉５により開閉される。野菜室４は野菜ケース（不図示）と一体の引出し式の扉６により開閉される。扉５、６の上端部には手指を掛けて扉５、６を引き出す把手部５ａ、６ａがそれぞれ設けられる。
【００１８】
各扉５、６、９、１０は発泡断熱材１３（図２参照）が充填され、前面にはガラス板１１（図２参照）が配される。ガラス板１１により扉５、６、９、１０の前面の清掃性を向上することができる。また、冷蔵室２の左方の扉１０には収納室２０が設けられ、収納室２０内に操作ユニット３０が収納される。
【００１９】
図２は収納室２０の上面断面図を示しており、図３は操作ユニット３０の正面図を示している。扉１０の前面にはガラス板１１が配され、扉１０の背面は背面板１２で覆われる。扉１０の両側面にはそれぞれ側面板１５、１６が配される。扉１０の上下面にはそれぞれドアキャップ（不図示）が被嵌される。そして、ガラス板１１、側面板１５、１６、背面板１２及びドアキャップで囲まれた空間内に発泡断熱材１３が充填される。
【００２０】
ガラス板１１は側面板１５、１６及びドアキャップに設けた断面コ字状の枠部１７により周囲を保持される。収納室２０の周面（上下面及び左側面）及び背面は側面板１５の前部に係合する樹脂成形品のカバー１４により覆われる。発泡断熱材１３の充填によってカバー１４の外面が発泡断熱材１３に固着される。
【００２１】
収納室２０内はカバー１４によって発泡断熱材１３に対して隔離され、収納室２０の前面はガラス板１１により覆われる。収納室２０の右側端面には開口部２０ａが開口する。収納室２０内には開口部２０ａを介して操作ユニット３０が収納され、蓋部（不図示）により開口部２０ａが塞がれる。
【００２２】
尚、以下の説明において、操作ユニット３０の挿入方向（左右方向）をＸ方向、ガラス板１１に平行な面内でＸ方向に直交する上下方向をＺ方向、ガラス板１１の法線方向をＹ方向としている。
【００２３】
操作ユニット３０は樹脂成形品のホルダ３２により保持される回路基板３３の前面に表示シート３４が配される。回路基板３３の左部には液晶パネル等の表示パネル３５が実装され、回路基板３３の右上部には複数のＬＥＤ３７が実装される。回路基板３３の右下部には静電容量を検出する複数の検出子３６が設けられる。これにより、操作ユニット３０の前面にタッチパネルが形成される。
【００２４】
表示シート３４は表示パネル３５に面して開口し、ＬＥＤ３７に対向して運転モードを示すマーク３９が形成される。また、表示シート３４には検出子３６に対向してタッチパネルの押圧箇所を示すマーク３８が形成される。
【００２５】
ガラス板１１（図２参照）を介して表示シート３４のマーク３８上が押圧されると、検出子３６により静電容量の変化を検出して所定の運転モードが実行される。この時、運転モードに対応して表示パネル３５に画像が表示されるとともに、ＬＥＤ３７の点灯によりマーク３９を後方から照明して運転状態が報知される。
【００２６】
操作ユニット３０の挿入方向（Ｘ方向）に平行な周面を形成する上下面には左右方向（Ｘ方向）の両端部にピン４０が突設される。収納室２０の背壁を形成するカバー１４にはピン４０の背面に当接する弾性部２１が形成される。
【００２７】
図４は図２のＨ部詳細図を示している。同図は操作ユニット３０の右側の弾性部２１近傍を示しているが、左側の弾性部２１近傍も同様に形成される。カバー１４には前方に突出する支持部２２が設けられる。弾性部２１は支持部２２の前部から開口部２０ａ（図２参照）に対して離れる方向に延びて形成される。これにより、弾性部２１は収納室２０の背壁に一端を固定された片持ち梁を形成し、弾性を有する。
【００２８】
弾性部２１の前面２１ａ及び支持部２２の前面２２ａは連続し、Ｘ方向に対して開口部２０ａ側が後方に配されるように傾斜する傾斜面に形成される。また、弾性部２１にはガラス板１１（図２参照）に対して平行に延びる平行部２１ｂが左端部に設けられる。平行部２１ｂの前面には操作ユニット３０のピン４０を係止する係止溝２１ｃが形成される。弾性部２１の前面２１ａの傾斜面に係止溝２１ｃを形成してもよい。
【００２９】
樹脂成形品のカバー１４の内面は前方（矢印Ｂ方向）を抜き方向とした一の金型により形成することができる。この時、カバー１４の背面側を形成する金型に設けた突起部材Ｄによって弾性部２１に対向する開口部１４ａが形成されるとともに弾性部２１の背面が形成される。このため、カバー１４を形成する金型を簡素化し、冷蔵庫１のコストを削減することができる。尚、開口部１４ａは粘着テープ２５により塞がれる。
【００３０】
操作ユニット３０が開口部２０ａ（図２参照）から挿入されると、操作ユニット３０と一体の各ピン４０の背面側が支持部２２の前面２２ａ及び弾性部２１の前面２１ａと摺動する。これにより、操作ユニット３０が前方に案内される。この時、弾性部２１によって操作ユニット３０がガラス板１１の方向に付勢され、操作ユニット３０の前面がガラス板１１の背面に接触する。そして、ピン４０が係止溝２１ｃに係止され、操作ユニット３０が所定の収納位置に位置決めして配置される。
【００３１】
これにより、ガラス板１１を介して操作ユニット３０上のタッチパネルを確実に操作することができる。また、操作ユニット３０の挿入時にガラス板１１と操作ユニット３０との摺動が低減され、ガラス板１１や操作ユニット３０の傷を防止することができる。尚、ガラス板１１の背面に一体化される化粧板等の部材を設けてもよい。この場合も同様に操作ユニット３０の前面を弾性部２１によって該部材に接触させることができる。
【００３２】
本実施形態によると、操作ユニット３０を摺動案内する弾性部２１が収納室２０の背壁に一端を支持して開口部２０ａから離れる方向に延び、弾性部２１の前面２１ａが操作ユニット３０の挿入方向（Ｘ方向）に対して傾斜する。このため、弾性部２１の付勢によって操作ユニット３０がガラス板１１に接触し、操作ユニット３０の前面に配したタッチパネルを確実に操作できる。また、ガラス板１１と操作ユニット３０との摺動を低減してガラス板１１等の傷を防止することができる。更に、樹脂成形品のカバー１４の内面を形成する金型の抜き方向を一方向（Ｂ方向）にすることができ、金型を簡素化して冷蔵庫１のコストを削減することができる。
【００３３】
また、カバー１４に突設した支持部２２により弾性部２１の一端が支持され、弾性部２１及び支持部２２の前面２１ａ、２２ａが連続した傾斜面に形成される。これにより、支持部２２を介して操作ユニット３０を弾性部２１に円滑に摺動させることができる。
【００３４】
また、操作ユニット３０の挿入方向（Ｘ方向）に平行な周面に突設されるピン４０を設けたので、弾性部２１に摺動案内される操作ユニット３０を容易に実現することができる。尚、ピン４０を省き、ホルダ３２の背面を弾性部２１により摺動案内してもよい。
【００３５】
また、収納位置でピン４０を係止する係止溝２１ｃを弾性部２１の前面に設けたので、操作ユニット３０を容易に位置決めして収納位置に配置することができる。
【００３６】
＜第２実施形態＞
次に、図５は第２実施形態の冷蔵庫１の操作ユニット３０の正面図を示している。説明の便宜上、前述の図１〜図４に示す第１実施形態と同様の部分には同一の符号を付している。本実施形態は操作ユニット３０の左右に設けたピン４０の突出量及び弾性部２１の配置が異なっている。その他の部分は第１実施形態と同様である。
【００３７】
操作ユニット３０の上下面には左右方向（Ｘ方向）の両端部にピン４０が突設される。開口部２０ａ（図２参照）に近い右方のピン４０は開口部２０ａから離れた左方のピン４０に対して上下方向（Ｚ方向）に突出する。即ち、右方のピン４０は左方のピン４０に対してガラス板１１（図２参照）に平行な面内で操作ユニット３０の挿入方向（Ｘ方向）に直交した方向（Ｚ方向）に突出する。また、開口部２０ａに近い右方の支持部２２及び弾性部２１は開口部２０ａから離れた左方の支持部２２及び弾性部２１に対して上下方向（Ｚ方向）に離れて配置される。
【００３８】
操作ユニット３０が開口部２０ａから挿入されると、左方のピン４０は右方の支持部２２及び弾性部２１に対して操作ユニット３０の配置側を通過する。そして、左方のピン４０が左方の支持部２２及び弾性部２１に摺動案内され、右方のピン４０が右方の支持部２２及び弾性部２１に摺動案内される。これにより、操作ユニット３０が収納位置に位置決めして配置される。
【００３９】
本実施形態によると、第１実施形態と同様の効果を得ることができる。また、左方のピン４０が右方のピン４０に対して上下方向（Ｚ方向）に突出するので、左方のピン４０と右方の弾性部２１及び支持部２２との摺動が回避される。これにより、操作ユニット３０とガラス板１１との摺動を第１実施形態よりも低減し、操作ユニット３０やガラス板１１の傷をより確実に防止することができる。
【００４０】
第１、第２実施形態において、扉１０の側面に開口部２０ａを開口して収納室２０が形成されるが、扉１０の周面を形成する上面や下面に開口部２０ａを開口して収納室２０を形成してもよい。
【産業上の利用可能性】
【００４１】
本発明によると、前面にガラス板を配した扉にタッチパネルを設けた冷蔵庫に利用することができる。
【符号の説明】
【００４２】
１    冷蔵庫
２    冷蔵室
３    冷凍室
４    野菜室
５、６、９、１０  扉
１１    ガラス板
１２    背面板
１４    カバー
１５、１６  側面板
２０    収納室
２０ａ  開口部
２１    弾性部
２１ｃ  係止溝
２２    支持部
３０    操作ユニット
３２    ホルダ
３３    回路基板
３４    表示シート
３５    表示パネル
３６    検出子
３７    ＬＥＤ
３８、３９  マーク
４０    ピン
【図１】
2014066434.tif 000003
【図２】
2014066434.tif 000004
【図３】
2014066434.tif 000005
【図４】
2014066434.tif 000006
【図５】
2014066434.tif 000007